(57)【特許請求の範囲】
【請求項１】
ベルト部と、このベルト部から下方に延びるスカート部と、前記スカート部の巻上げを防止するための巻上げ防止体とを備えたスカートにおいて、
前記巻上げ防止体は、前記スカート部のポケット部に関連して設けられた第１巻上げ防止部材と、前記スカート部のファスナー部に関連して設けられた第２巻上げ防止部材とを含み、前記第１巻上げ防止部材は、前記第２巻上げ防止部材よりも上側又は下側に配設され、前記第１及び第２巻上げ防止部材は、前記スカート部の上下方向において一部が重なっており、前記スカート部の上下方向において、前記第１巻上げ防止部材から第２巻上げ防止部材にわたって前記スカート部の巻上げが防止されることを特徴とするスカート。
【請求項２】
前記第１巻上げ防止部材は、前記ベルト部の下側に隣接して配設され、前記第２巻上げ防止部材は、前記第１巻上げ防止部材よりも下側に配設され、前記第１巻上げ防止部材の下端部と前記第２巻上げ防止部材の上端部とが、前記スカート部の上下方向において重なるように配設されていることを特徴とする請求項１に記載のスカート。
【請求項３】
前記第１巻上げ防止部材は、前記スカート部の前記ポケット部に縫い付けられ、前記第２巻上げ防止部材は、前記スカート部の端部を折り曲げてファスナーの片側を取り付けた端部折曲部に縫い付けられていることを特徴とする請求項１又は２に記載のスカート。
【請求項４】
前記第１及び第２巻上げ防止部材は、その全周部が高強度糸を用いて縫い付けられていることを特徴とする請求項１〜３のいずれかに記載のスカート。
【請求項５】
前記第１及び第２巻上げ防止部材は、その外周部が高強度糸を用いて複数周回に縫い付けられていることを特徴とする請求項４に記載のスカート。
【発明の詳細な説明】
【技術分野】
【０００１】
本発明は、巻上げ（又は巻込み）を防止するための巻上げ防止部材を備えたスカートに関する。
【背景技術】
【０００２】
近年、女子高校生の間で、ベルト部を巻き上げて（又は巻き込んで）スカートの丈を短くして着用することが流行しているが、このような着用は好ましくないとして、このような着用を禁止している学校も少なくない。
【０００３】
このようなことから、スカートの丈を短くすることが難しいスカートが提案されている（例えば、特許文献１参照）。このスカートは、ベルト部と、このベルト部から下方に延びるスカート部と、ベルト部とスカート部（後身頃側の部位）の上端部との間に挟み込まれた面状補強材とを備え、面状補強材がベルト部の後身頃側の実質上全体にわたって周方向に延びて設けられている。
【０００４】
このようなスカートにおいては、面状補強材が例えば織布、合成樹脂などの折曲げ困難な材料から形成されるので、ベルト部を巻込むことが困難となり、それ故に、ベルト部を巻き込んでスカート部の丈を短くした着用が難しくなる。
【先行技術文献】
【特許文献】
【０００５】
【特許文献１】特開２００５−１１３２９９号公報
【発明の概要】
【発明が解決しようとする課題】
【０００６】
しかしながら、従来のスカートでは、面状補強材がベルト部の後身頃側に周方向に広く設けられているので、スカートを着用したときにおける着用感が低下し、身体を動かしたときに面状補強材により違和感を感じるおそれがある。
【０００７】
本発明は、着用感の向上を図りながらベルト部の巻込みを防止することができるスカートを提供することである。
【０００８】
また、本発明の他の目的は、既成のスカートにも後付けで簡単に適用することができるスカートを提供することである。
【課題を解決するための手段】
【０００９】
本発明の請求項１に記載のスカートは、ベルト部と、このベルト部から下方に延びるスカート部と、前記スカート部の巻上げを防止するための巻上げ防止体とを備えたスカートにおいて、
前記巻上げ防止体は、前記スカート部のポケット部に関連して設けられた第１巻上げ防止部材と、前記スカート部のファスナー部に関連して設けられた第２巻上げ防止部材とを含み、前記第１巻上げ防止部材は、前記第２巻上げ防止部材よりも上側又は下側に配設され、前記第１及び第２巻上げ防止部材は、前記スカート部の上下方向において一部が重なっており、前記スカート部の上下方向において、前記第１巻上げ防止部材から第２巻上げ防止部材にわたって前記スカート部の巻上げが防止されることを特徴とする。
【００１０】
また、本発明の請求項２に記載のスカートでは、前記第１巻上げ防止部材は、前記ベルト部の下側に隣接して配設され、前記第２巻上げ防止部材は、前記第１巻上げ防止部材よりも下側に配設され、前記第１巻上げ防止部材の下端部と前記第２巻上げ防止部材の上端部とが、前記スカートの上下方向において重なるように配設されていることを特徴とする。
【００１１】
また、本発明の請求項３に記載のスカートでは、前記第１巻上げ防止部材は、前記スカート部の前記ポケット部に縫い付けられ、前記第２巻上げ防止部材は、前記スカート部の端部を折り曲げてファスナーの片側を取り付けた端部折曲部に縫い付けられていることを特徴とする。
【００１２】
また、本発明の請求項４に記載のスカートでは、前記第１及び第２巻上げ防止部材は、その全周部が高強度糸を用いて縫い付けられていることを特徴とする。
【００１３】
更に、本発明の請求項５に記載のスカートでは、前記第１及び第２巻上げ防止部材は、その外周部が高強度糸を用いて複数周回に縫い付けられていることを特徴とする。
【発明の効果】
【００１４】
本発明の請求項１に記載のスカートによれば、スカート部の巻上げを防止するための巻上げ防止体が、スカート部のポケット部に関連して設けられた第１巻上げ防止部材と、スカート部のファスナー部に関連して設けられた第２巻上げ防止部材とを含んでいるので、第１及び第２巻上げ防止部材を小さくすることができ、これによって、着用状態における第１及び第２巻上げ防止部材による不快感が少なくなり、スカートの着用感を改善することができる。
【００１５】
また、第１巻上げ防止部材は、第２巻上げ防止部材よりも上側（又は下側）に配設され、第１及び第２巻上げ防止部材がスカート部の上下方向において一部が重なっているので、スカート部の上下方向において、第１巻上げ防止部材から第２巻上げ防止部材にわたって、スカート部の巻上げが防止され、比較的小さい巻上げ防止部材を組み合わせて用いることによって、スカート部の上下方向の広い範囲にわたって巻上げが困難となる。
【００１６】
また、本発明の請求項２に記載のスカートによれば、第１巻上げ防止部材は、ベルト部の下側に隣接して配設され、第２巻上げ防止部材は、第１巻上げ防止部材よりも下側に配設されているので、スカートの着用感を害することなく、第１及び第２巻上げ防止部材を見え難く配置することができる。
【００１７】
また、本発明の請求項３に記載のスカートによれば、第１巻上げ防止部材は、スカート部のポケット部に縫い付けられ、第２巻上げ防止部材は、スカート部の端部を折り曲げてファスナーの片側を取り付けた端部折曲部に縫い付けられているので、スカートの着用感を害することなく、第１及び第２巻上げ防止部材を見え難く確実に取り付けることができる。
【００１８】
また、本発明の請求項４に記載のスカートによれば、第１及び第２巻上げ防止部材の全周部が高強度糸を用いて縫い付けられているので、この高強度糸を切断して第１及び第２巻上げ防止部材を取り外すことが難しく、これによって、スカートの改造を防止して巻上げをより効果的に防止することができる。
【００１９】
更に、本発明の請求項５に記載のスカートによれば、第１及び第２巻上げ防止部材の外周部が高強度糸を用いて複数周回に縫い付けられているので、第１及び第２巻上げ防止部材の取り外しを一層難しくすることができる。
【図面の簡単な説明】
【００２０】
【図１】本発明に従うスカートの一実施形態を簡略的に示す正面図。
【図２】図１のスカートのポケット部及びその近傍を示す図。
【図３】図１のスカート部のファスナー部及びその近傍を示す図。
【図４】第１巻上げ防止部材と第２巻上げ防止部材との位置関係を簡略的に示す図。
【図５】図５（ａ）〜（ｃ）は、図１のスカートにおける第１巻上げ防止部材の縫付け様式を説明するための簡略図。
【図６】本発明に従うスカートの他の実施形態を簡略的に示す正面図。
【発明を実施するための形態】
【００２１】
以下、添付図面を参照して、本発明に従うスカートの実施形態について説明する。まず、図１〜図４を参照して、第１の実施形態のスカートについて説明する。
【００２２】
図１〜図３において、図示のスカートは、ベルト部２と、このベルト部２から下方に延びるスカート部４とを備え、スカート部４は、身体に着用したときに前側に位置する前見頃６と着用したときに後側に位置する後見頃８とを有している。この例では、スカート部４が多数のプリーツを有するプリーツスカート形態のものであるが、このような形態のものに限定されず、プリーツのない通常の形態のものにも同様に適用することができる。
【００２３】
このようなスカート部４は、前見頃６の端部と後見頃８の端部とを縫い合わせるすることによって筒状のスカート部４が形成され、このスカート部４の上端部を外ベルト部１０と内ベルト部１２との間に挟み込んでこれらを縫い付けることによって、図１に示す形態のスカートが形成される。
【００２４】
この形態では、前見頃６の端部は内側に折曲され、また後見頃８の端部も内側に折曲され、スカート部２の下部においては、前見頃６の折曲部１４と後見頃８の折曲部１６とが縫い合わされて筒状となっており、スカート部２の上部においては、開閉自在なファスナー部１８を介して筒状になっている。
【００２５】
ファスナー部１８は、相互に噛み合わさる一対のファスナー２２，２４と、これらファスナー２２，２４を噛合、噛合解除するためのスライダ２６を有し、スライダ２６を上方に移動させることによって、ファスナー２２，２４が噛み合わされ、このスライダ２６を下方に移動させることによって、ファスナー２２，２４の噛合いが解除され、このファスナー部１８の開閉させてスカートの着脱を行う。
【００２６】
この形態では、ファスナー部１８の片方のファスナー２２は、後見頃８の折曲部１６にこの端部に沿って取り付けられ、またその他方のファスナー２４は、前見頃６の折曲部１４に対応して設けられている。図示の形態では、前見頃６の端部にポケット部２０が設けられており、このことに関連して、他方ファスナー２４は、次の通りに取り付けられている。即ち、袋状のポケット部２０の外側生地（具体的には、開口部の部位）は、前見頃６の折曲部１４に縫い付けられ、このポケット部２０の内側生地（具体的には、開口部の部位）に他方のファスナー２４が縫い付けられ、前見頃６の折曲部１４（ポケット部２０の外側生地）と他方のファスナー２４（ポケット部２０の内側生地）との間にポケット開口２８が設けられている。
【００２７】
上述したスカートでは前見頃６の端部にポケット部２０が存在しているが、このようなポケット部２０がないものにおいては、他方のファスナー２４は、片方のファスナー２２と同様に、前見頃６の端部にこの端部に沿って設けることができる。
【００２８】
このスカートでは、スカート部４の巻上げを防止するための巻上げ防止体３０が設けられ、この巻上げ防止体３０は、ポケット部２０に関連して設けられた第１巻上げ防止部材３２と、ファスナー部１８に関連して設けられた第２巻上げ防止部材３４とを含んでいる。図４をも参照して、この形態では、第１巻上げ防止部材３２は、ポケット部２０の外側生地に縫い付けられ、前見頃６とポケット部２０との間に配設され、スカートの内側から見るとこのポケット部２０によって隠れるようになる。
【００２９】
この第１巻上げ防止部材３２は、ポケット部２０に関して設けられるが、このポケット部２０から前見頃６の折曲部１４にわたって設けるようにしてもよい。この場合、第１巻上げ防止部材３２は、ポケット部２０の外側生地（外側面）から前見頃６の折曲部１４（外側面）にわたって縫い付けられ、前見頃６とその折曲部１４及びポケット部２０との間に配設され、スカートの内側から見るとこの折曲部１４及びポケット部２０によって隠れるようになる。
【００３０】
また、第２巻上げ防止部材３４は、ファスナー部１８に関連して設けられ、この形態では、後見頃８の折曲部１６（外面）に縫い付けられ、後見頃８とその折曲部１６との間に配設され、スカートの内側から見ると後見頃８の折曲部１６によって隠れるようになる。
【００３１】
第１及び第２巻上げ防止部材３２，３４は、図４に示す位置関係に配置される。第１巻上げ防止部材３２の上端部はベルト部２に隣接してその下側に配設され、第２巻上げ防止部材３４は、この第１巻上げ防止部材３２よりも下側に配設され、第１巻上げ防止部材３２の下端部と第２巻上げ防止部材３４の上端部とが、スカートの上下方向において重なるように設けられ、このように上下方向に重なるようにすると、第１及び第２巻上げ防止部材３２，３４の存在によりスカート部４を折り返すことが難しくなり、これによって、スカート部４を巻き上げてその丈を短くすることが防止できる（尚、第１及び第２巻上げ防止部材３２，３４が周方向にずれていて上下方向に重なるようにしても同様の効果が達成される）。また、このように第１巻上げ防止部材３２をベルト部２の下側に設けることによって、既成のスカートにも容易に縫い付けることが可能となる。
【００３２】
図４を参照して更に説明すると、第１巻上げ防止部材３２の上下方向の長さがＬ１とし、第２巻上げ防止部材３４の上下方向の長さがＬ２であるとし、それらの上下方向の重なりがＬ３とすると、第１及び第２巻上げ防止部材３２，３４の全長Ｌ０は、Ｌ３＝Ｌ１＋Ｌ２−Ｌ３となり、かかる長さＬ０の範囲において第１及び第２巻上げ防止部材３２，３４が作用するようになり、これによって、この長さＬ０の範囲においてスカート部４を折り返すことが困難となる。このように比較的短い第１及び第２巻上げ防止部材３２を上下方向において一部重ねて用いることによって、着用時における違和感を少なく抑えることができるとともに、上下方向において広い範囲にわたってスカート部４の折り返しを防止することができる。
【００３３】
尚、この形態では、第１巻上げ防止部材３２を上側に、第２巻上げ防止部材３４を下側に配置しているが、上述したと反対に、第２巻上げ防止部材３４を上側に、第１巻上げ防止部材３２を下側に配置するようにしてもよい。
【００３４】
第１巻上げ防止部材３２（及び第２巻上げ部材３４）は、硬質合成樹脂製などのプレート状部材から構成することができ、このプレート状部材がポケット部２０（及び後見頃８の折曲部１６）に直接的に縫い付けられる。この第１巻上げ部材３２（及び第２巻上げ部材３４）を縫い付ける糸として高強度糸を用いるのが好ましく、この高強度糸を用いてプレート状部材の全周を縫い付けることによって、第１巻上げ部材３２（第２巻上げ部材３４）を容易に取り外すことが難しくなる。
【００３５】
第１巻上げ防止部材３２（及び第２巻上げ防止部材３４）を単体のプレート状部材から構成することに代えて、図５（ａ）〜（ｃ）に示すように構成して縫い付けるようにしてもよい。図５（ａ）に示す例では、第１巻上げ防止部材３２Ａ（及び第２巻上げ防止部材３４Ａ）は、合成樹脂製のプレート状部材４２が芯材として用いられ、このプレート状部材４２が袋状のカバー部材４４により覆われ、このようなカバー部材４４は布製材料などから形成される。この第１巻上げ防止部材３２Ａ（及び第２巻上げ防止部材３４Ａ）では、カバー部材４４の外周部が縫い付けられ、図５（ａ）において番号４６で示すものが縫い目である。
【００３６】
図５（ｂ）に示す例では、第１巻上げ防止部材３２Ｂ（及び第２巻上げ防止部材３４Ｂ）は、図５（ａ）に示す例と同様に、合成樹脂製のプレート状部材５２が芯材として用いられ、このプレート状部材５２が袋状のカバー部材５４により覆われ、カバー部材５４及びプレート状部材５２の外周部がこれらを通して縫い付けられ、図５（ｂ）において番号５６で示すものが縫い目である。
【００３７】
図５（ｃ）に示す例では、第１巻上げ防止部材３２Ｃ（及び第２巻上げ防止部材３４Ｃ）は、図５（ｂ）に示す例と同様に、合成樹脂製のプレート状部材６２が芯材として用いられ、このプレート状部材６２が袋状のカバー部材６４により覆われ、カバー部材６４及びプレート状部材６２の外周部がこれらを通して縫い付けられ、図５（ｃ）において番号６６で示すものが縫い目である。この例では、カバー部材６４及びプレート状部材６２の外周部が複数周回（この例では、２周にわたって）縫い付けられ、このように縫い付ける周回数を増やすことによって、第１巻上げ防止部材３２Ｃ（及び第２巻上げ防止部材３４Ｃ）の取り外しが一層難しくなり、また縫い付ける糸として、上述した高強度糸を用いることにより、その取り外しが更に一層難しくなる。
【００３８】
図６は、本発明に従うスカートの第２の実施形態を示している。この第２の実施形態では、ポケット部が後見頃（具体的には、着用時の背中側）に設けられている。更に説明すると、ポケット部２０Ｄの外側生地の上端部がベルト部２の内ベルト部（図示せず）に縫い付けられ、その外側生地及び内側生地の上端部間にポケット開口が設けられる。
【００３９】
このようなスカートでは、第１巻上げ防止部材３２Ｄは、ポケット部２０Ｄの外側生地に縫い付けられ、このポケット部２０Ｄと後見頃との間に配設され、スカート部４の内側から見るとポケット部２０Ｄによって隠れた状態となる。また、第２巻上げ防止部材３４Ｄは、上述した第１の実施形態と同様に、ファスナー部に関連して設けられ、後見頃の折曲部（外面）に縫い付けられる。
【００４０】
このような実施形態においても、第１及び第２巻上げ防止部材３２，３４は、上述した第１の実施形態と同様に、第１巻上げ防止部材３２Ｄの上端部はベルト部２に隣接してその下側に配設され、第２巻上げ防止部材３４Ｄは、この第１巻上げ防止部材３２Ｄよりも下側に配設され、第１巻上げ防止部材３２Ｄの下端部と第２巻上げ防止部材３４Ｄの上端部とが、スカート部４の周方向にずれてその上下方向において重なるように設けられ、このように構成することによって、上述したと同様の作用効果が達成される。
【００４１】
図６において、第１巻上げ防止部材３２Ｄの上下方向の長さがＬ１とし、第２巻上げ防止部材３４Ｄの上下方向の長さがＬ２であるとし、それらの上下方向の重なりがＬ３とすると、第１及び第２巻上げ防止部材３２Ｄ，３４Ｄの全長Ｌ０は、Ｌ３＝Ｌ１＋Ｌ２−Ｌ３となり、かかる長さＬ０の範囲において第１及び第２巻上げ防止部材３２Ｄ，３４Ｄが作用するようになり、これによって、この長さＬ０の範囲においてスカート部４を折り返すことが困難となる。
【００４２】
以上、本発明に従うスカートの実施形態について説明したが、本発明はかかる実施形態に限定されず、本発明の範囲を逸脱することなく種々の変更乃至修正が可能である。
【００４３】
上述した実施形態では、第１巻上げ防止部材３２を略矩形状に形成し、第２巻上げ防止部材３４を上下方向に細長く形成しているが、第１及び第２巻上げ防止部材３２，３４の形状については、ポケット部２０の形状、後見頃８の折曲部１６の形状などに対応して適宜の形状に形成することができる。
【００４４】
また、上述した実施形態では、第１巻上げ防止部材３２（３２Ａ〜３２Ｃ）をベルト部２に隣接してその下側に配設しているが、このような構成に限定されず、この第１巻上げ防止部材３２（３２Ａ〜３２Ｃ）の上端部をベルト部２の外ベルト部１０と内ベルト部１２との間に挟み込んで縫い付けるようにしてもよい。尚、第２巻上げ防止部材３４（３４Ａ〜３４Ｃ）を上側に配設した場合、この第２巻上げ防止部材３４（３４Ａ〜３４Ｃ）の上端部をベルト部２の外ベルト部１０と内ベルト部１２との間に挟み込んで縫い付けるようにしてもよい。
【符号の説明】
【００４５】
２  ベルト部
４  スカート部
１８  ファスナー部
２０  ポケット部
３０  巻上げ防止体
３２，３２Ａ，３２Ｂ，３２Ｃ  第１巻上げ防止部材
３４，３４Ａ，３４Ｂ，３４Ｃ  第２巻上げ防止部材
４２，５２，６２  プレート状部材
４４，５４，６４  カバー部材
４６，５６，６６  縫い目
【図１】
0005551570.tif 000002
【図２】
0005551570.tif 000003
【図３】
0005551570.tif 000004
【図４】
0005551570.tif 000005
【図５】
0005551570.tif 000006
【図６】
0005551570.tif 000007